(57)【要約】【課題】    本発明は、従来のコンセントには露出と言う重大な欠点むき出し、露出があった。それらを改良した収納式配線器具及びその工法を提供することを目的とする．    （または、従来にない、新規な収納、コード固定、引き出し式コンセントの場合接続時のみ通電とするスイッチ別の設ける新規な収納式配線器具を提供することを目的とする）。【解決手段】    少なくとも化粧板コード通用口右構成、化粧板コード通用口左構成、コード固定器構成、化粧板受け器の組み合わせを特徴とする収納式配線器具、及び少なくとも化粧板コード通用口右ネジ止め手段、化粧板コード通用口左ネジ止め手段、余りコード収納手段の組み合わせの方法をとる。【選択図】図８
2011160563.tif 000002
【特許請求の範囲】
【請求項１】
配線器具において、壁面に取り付ける際に用いるコンセント受け器と、コンセント受け器を覆うように取り付けられるネジ固定用化粧板、コード固定器により、盗難防止を同時に成立させる（または、満足させる）ことを特徴とする収納式配線器具。
【請求項２】
コンセント受け器の工法において、コード収納する工程と、化粧板ネジ止め固定する工程と、取り外し可能な化粧板と、化粧板簡易固定板する工程と、引き出し式コンセントを装備する工程とを含むことを特徴とする収納式配線器具の工法。
【請求項３】
上記コンセント受け器には、テレビ用モジュラジャックに変えてモジュラジャック受け器の工法において、コード収納する工程と、取り外し可能化粧板コード通用口右側通行する工程と、取り外し可能化粧板コード通用口左側通行する工程と、化粧板簡易固定板を含むことを特徴とする収納式配線器具の工法。  
【請求項４】
上記コンセント受け器には、家庭用電話接続コード収納する工程と、取り外し可能化粧板コード通用口右側通行する工程と、取り外し可能化粧板コード通用口左通行する工程と、化粧板簡易固定板を含むことを特徴とする収納式配線器具の工法
【請求項５】
上記コンセント受け器には、電気接続とテレビ電波接続コード固定する工程と、化粧板ネジ止めする工程と、ネジ固定化粧板コード通用口右側通行する工程と、ネジ固定化粧板コード通用口左側通行する工程とを含むことを特徴とする収納式配線器具。
【請求項６】
上記コンセント受け器には、電気接続と家庭用電話接続コード固定する工程と、取り外し可能化粧板コード通用口右側通行する工程と、取り外し可能化粧板コード通用口左側通行する工程と、化粧板簡易固定板を含むことを特徴とする収納式配線器具の工法。
【請求項７】
上記コンセント受け記には、コード固定する工程と、引き出し式コンセントを装備する工程と、取り外し可能化粧板コード通用口右側通こする工程と、取り外し可能化粧板コード通用口左通行する工程と、化粧板簡易固定板を含むことを特徴とする収納式配線器具の工法。
【発明の詳細な説明】
【技術分野】
【０００１】
本願発明は新規な収納式配線器具と電話線収納式接続器具また、テレビ電波収納式接続器具に関する。
【背景技術】
【０００２】
従来、収納式配線器具としては［特許文献１２００７−３１２５４７］には埋込形の配線器具が、［特許文献２２００８−２１９９６７］などが知られている。
【先行技術文献】
【特許文献】
【０００３】
【特許文献１】特開２００７−３１２５４７
【特許文献２】特開２００８−２１９９６７
【発明の概要】
【発明が解決しようとする課題】
【０００４】
しかし、コンセントを配置すると、コンセントが不使用時でも、露出している場合には、埃塵の体積、及び湿気が進入してしまう。また、化粧板と平行に配置された場合には、プラグが露出してしまうという問題がある。
【０００５】
しかしながら配線器具には壁面に露出と言う重大な欠点があった。また、コンセント付き壁パネルには高価という重大な欠陥があった。本発明者らは上記の壁面に露出の解決された収納式配線器具を提供することを目的とする。また、抜け落ちの欠点を改良した配線器具を提供することを目的とする。
【課題を解決するための手段】
【０００６】
第一の発明の骨子は、壁面に取り付ける際に用いるコンセント受け器、コンセント受け器を覆うように取り付けるネジ固定用化粧板、コード固定器を特徴とする収納式配線器具、及び取り外し可能な化粧板コード右通用口、取り外し可能な化粧板コード左通用口、化粧板簡易固定板、引き出用接続コンセントの電気通電要スイッチを別に設けることを特徴とする収納式配線器具の設置方法である．
第1図（及び第３図）は、本願発明の収納式配線器具を示すもので、1図のコンセント通用口、3図はコの字コンセント受け器、3図はコード固定器、を示す。
【０００７】
本発明の内容を順に詳しく説明すると次の通りである。すなわち、第一の発明は、コンセント受け器であり、詳しくはコの字コンセント受け器にした事により壁の中でコンセントとプラグが接続される事である。壁の中で上下に接続とすることにより、埃塵の堆積、また湿気の侵入を防げるという作用、コードの収納と言うことが初めて達成できる。
【０００８】
収納式配線器具としては、コの字受け器、コード固定器などが挙げられる．特に換気扇接続により、収納式配線器具、コの字受け器により壁の中でコンセントとプラグが上下に接続できることに優れている。 
第二の発明は、コード固定器であり、詳しくは収納式配線器具コの字受け器にコードの抜け防止及び盗難防止作用である。
化粧板ネジ止めとすることにより、二重ロックの効果という作用、盗難防止と言うことが初めて達成できる。
【０００９】
収納式配線器具としては、コの字受け器、コード固定器などが挙げられる．特に不特定多数の利用する日帰り温泉施設などのドライヤーが、コード固定器、化粧板ネジ止めにより盗難防止に優れている。
第三の発明は、引き出用接続コンセントであり、詳しくはコンセント受け器に通常電気掃除機など一定時間しか使わない場所のコンセントとして取り外し可能なコード通用口化粧板、化粧板簡易固定板にする事である。
引き出用接続コンセントとすることにより、取り外し可能なコード通用口化粧板の場合コンセント口は壁の中に収納されているという作用、電気通電がスイッチで通電でき、キッズの目線からコンセント口を隠せたと言うことが初めて達成できる。
【００１０】
収納式配線器具としてはコの字受け器、コード固定器、引き出用コンセントなどが挙げられる、特に短時間使用の掃除機により、コンセント口が壁の中に収納、キッズの目線からコンセント口が隠せる又通電がスイッチにより通電出きるが優れている。 
【００１１】
収納式配線器具としてはコの字受け器、コード固定器、２個並列セットにより、電気接続、テレビ電波接続などが挙げられる、長時間セットしたままの状態なので埃塵の堆積が防げ、湿気の侵入防止により、漏電防止効果が優れている。
【００１２】
収納式配線器具としてはコの字受け器、コード固定器、２個並列セットにより、電気接続、家庭用電話接続などが挙げられる、長時間セットしたままの状態で家具が壁にスッキリと寄せられる効果が優れている。
【００１３】
収納式配線器具としてはコの字受け器、コード固定器、２個セットにより、電気接続１個、電源通電スイッチを通常の高さにセットする事で危険度が減らせる、テレビ電波接続１個接続などが挙げられる、新築時にレイアウトを確り立て配置するとスッキリ効果が優れている。
【００１４】
収納式配線器具が日本家屋の建築に収まる理由は、3寸5分の柱また最近は４寸の柱を使い建築、両面の壁面、具在の厚さを差し引いた状態でも壁内部の空間が、コの字受け器により、壁内部にてコンセントとプラグ接続可能であることが優れている。
【００１５】
収納式配線器具と、コード固定器のネジ穴はコードの太さによりスライド出きることにより、コードの抜け落ち防止ができ、余りコードの収納が壁内部に出来る事が優れている。
【００１６】
収納式配線器具のコの字受け器別名コネクタボディにより、壁の中に収納されたコンセント口、壁の中でプラグ接続により電気が供給できる。
【００１７】
収納式配線器具のコの字受け器別名コネクタボディにより、壁の中でコンセントとプラグ接続により壁面より出るものは接続されたコードと化粧板でスッキリと出きる。
【００１８】
収納式配線器具のコの字受け器により、壁の中でコンセントとプラグ接続が出来コード固定器により引き出し式コンセントが収納でき使用時のみ取り出して接続できるコンセント口にプラグ接続して、スイッチで電源供給する事により安全である。
【００１９】
本発明における収納式コンセント受け器は、次の通りである。コの字受け器の発明により壁内部でのコンセントとプラグ接続が可能になり、余分なコードの収納に壁本体が収納ボックスとなる、また短時間接続で使用するコンセント口は使用時のみ化粧板簡易固定板により爪を外す事で化粧板が外れ、接続スイッチで電源供給が可能となる。
【００２０】
コネクタボディ言葉の定義とコの字受け器言葉の言い換えここでは、収納式配線器具と言うこともできるし、コードコネクタボディと言うことも、できるしソケットアウトレットと言うことも、できるし配線用差込接続器と言うことも、できるし、またエレクトリカル・アウトレットと言うことも、できる。英語の名称、日本では和製英語で、電源コンセントと言う意味が、書かれているが、コンセントとプラグというように分けて称している。
【００２１】
本発明では、配線器具またはコの字受け器により壁の内部にてコンセントとプラグが接続できまたコード固定器により抜け防止効果と盗難防止効果が生まれ引き出し式コンセントによりコンセント口が通常壁の内部に収納できキッズの目線隠し埃塵の堆積が防止でき化粧板のコード通用口のみなので掃除が楽になったなどの範囲が好ましい。
【００２２】
日本家屋のエコ住宅FP工法は、壁内部に空気の通り道を作ることにより、夏涼しく、冬は暖房効果が上がる工法との宣伝、又WB工法なる住宅建設でFP工法よりもダブルの外壁側に空気通用部分と、内側空気通用部分を設けることで断熱効果が増したエコ住宅、本発明の収納式配線器具も壁内部の空間利用では、コードの収納またコンセントとプラグ収納では、エコな工法範囲が好ましい。
【００２３】
日本家屋ばかりでなく、ビルデングの柱に関しては鉄金コンクリートまたは、鋼鉄での建築だが、壁に関しては壁内部が空洞なので本発明の収納式配線器具の利用範囲が好ましい。
【発明の効果】
【００２４】
(１）日本家屋の壁内部でコンセントとプラグの接続を初めて可能にした。
(２）コードの抜け落ち防止を可能にした。
(３）不特定多数の方が利用する温泉施設などのドライヤー盗難防止を可能にした。
(４）キッズの目線のコンセント口収納を可能にした。
(５）特に驚くべきことに換気扇接続時、埃塵の堆積が防げる効果が得られた。
（壁の内部でコンセントとプラグ接続が、初めて可能になった。）
（壁面に家具が寄せられた、隙間が著しく良くなった。）
(６）コンセントとプラグ接続部分に埃塵の堆積がない。
(７）余りのコードの収納が可能となった。
(８）不特定多数の方が利用する温泉施設などのコンセントの取替えが電気工事業者により可能である。（取替え費用が安く済む）
(９）新築時に良く相談してコンセント位置の確認と配線をすると綺麗に配置できる。
(１０）引き出用コンセントにより使用時のみコンセント口が壁内部より引き出せる。
(１１）引き出用コンセントの場合通電スイッチをセットすると使用時のみ通電できる事で常時コンセントに通電していない。
(１２）天井にコンセントセットの場合換気扇接続で余りコードの収納が天井裏に収納できスッキリな概観となる。
(１３）台所の換気扇接続は横壁の状態接続でコンセント接続が壁内部なので湿気油汚れ埃塵の侵入を防げる。
(１４）台所の換気扇接続化粧板の掃除取り外して簡単に出来る。
(１５）テレビ接続に電気通電とテレビ電波接続が壁内部で出来埃塵の堆積を防げる。
(１６）電話接続に電気接続と電話線接続が壁内部ででき家具がスッキリと壁に寄せられる。
(１７）電気掃除機使用時に化粧板を化粧板固定板より爪を外して引き出用コンセント接続する事でコンセント口が収納されていて使用時のみスイッチで通電が出来る。
(１８）家庭内の洗面台のドライヤー接続に引き出用コンセントを使用、髭剃り気の充電および歯ブラシの充電と洗面台の周りは電気器具が多い為引き出用コンセントが可能にした。
(１９）パソコン接続にも引き出用コンセントが便利パソコン本体のほかにプリンターなど、ほかの接続が必要の為。
(２０）洗濯機の接続には長時間接続するので収納式配線器具が便利埃塵湿気の侵入を防げる。
(２１）乾燥機の接続も長時間接続なので収納式配線器が可能にした。
(２２）電話線接続の収納式配線器具が埃塵の侵入を防げる。
(２３）テレビ電波接続にも収納式配線器具が埃塵の侵入を防げる。
(２４）ビルデングの壁内部でも収納式配線器具がコンセントとプラグ接続が壁内で接続できる。
【００２５】
第一の（換気扇接続）の構成の時
(効果A)埃塵の堆積がなく優れている。
(効果B)余りのコードが収納でき従来に比し格段に良い。
(効果C)化粧板の掃除のみが初めて可能になった。
【００２６】
第二の不特定多数の利用する場所のドライヤー、構成の時
(効果K)盗難防止が優れている。
(効果L)配置の価格が優れている。
(効果M)見た目が優れている。
【００２７】
第三の電気掃除機の構成時
(効果N)使用時意外化粧板のコード通用口のみで奇麗で優れている。
(効果P)化粧板取り外しで通電でき安心安全に優れている。
(効果Q)キッズの目線隠しが出来る事に優れている。
【図面の簡単な説明】
【００２８】
【図１】は本願発明で得られた収納式配線器具の化粧板正面図・右側面図・裏面図である。
【図２】は化粧板固定版正面図・右側面図である．
【図３】はコンセント受け器・正面図・右側面図・コード固定器・正面図・右側面図である。
【図４】は収納式配線器具正面図・右側面図・コンセント正面図・右側面図である。
【図５】は収納式配線器具正面図・右側面図・電話線接続ユニット正面図・右側面図である。
【図６】は収納式配線器具正面図・右側面図・テレビ電波接続ユニット正面図・右側面図である。
【図７】は収納式配線器具による取り付け断面図・電気接続及びコード固定器右側面図・電話線接続及びコード固定器右側面図である。
【図８】は収納式配線器具による取り付け断面図・電気接続及びコード固定器右側面図・テレビ電波接続及びコード固定器右側面図である。
【図９】は収納式配線器具による取り付け断面図・電気接続及びコード固定器右側面図・引き出し式コンセント収納右側面図・電話接続及びコード固定器右側面図である。
【図１０】は収納式配線器具による取り付け断面図・および使用取り付け図である。
【図１１】は収納式配線器具による取り付け断面図・および使用取り付け図である。
【図１２】は化粧板コード通用口左右例と、ネジ固定式化粧板コード通用口左右例である。
【発明を実施するための形態】
【００２９】
以下の実施例により本発明を更に詳細に説明する。しかし本実施例により本発明の有効性が限定解釈されるものではない。
【実施例１】
【００３０】
収納式配線器具を日本家屋という条件で換気扇の接続に使用した結果として、埃塵湿気侵入防止漏電の効果の高いものが得られた。
【実施例２】
【００３１】
電気掃除機接続に引き出用コンセントを使用した。化粧板を外し引き出用コンセントに接続しスイッチにより通電コード通用口用化粧板により穴がスッキリとした結果としてスマートというものが得られた。
【実施例３】
【００３２】
（比較例）実施例1の換気扇接続を新しい収納式配線器具に変更して実施したところプラグが大きく接続不能という換気扇も出た。通常のプラグであれば好ましい、取り付けの際にプラグサイズの確認が必要である。
【実施例４】
【００３３】
（比較例）実施例２の電気掃除機接続に引き出し式コンセントを使用した。化粧板は爪取り外しタイプで使用時に取り外し、引き出し式コンセントを取り出し化粧板を壁に戻す、引き出されたコンセント口に掃除機のプラグ接続使用、終了時に化粧板内部にコンセントを収納して終了である。
【００３４】
上記実施形態に限らず収納式配線器具においてコンセント受け器を通常より大きめに変更しても良い。その時は、プラグ接続の効果と多種類の電気器具接続の効果と更に既存の電気器具接続の効果が出てくる。引き出し式コンセントにおいて化粧板をネジ式に変更しても良い。その時はコード通用口よりコンセントが出てくる効果と直接接続する効果と、更に家具が壁に寄せの効果が出てくる。
不特定多数使用のドライヤー接続において化粧板コード通用口右ネジ止めを化粧板コード通用口左ネジ止めに変更しても良い。その時は使用便利の効果と多数使用の効果と更に配置数の効果が出てくる。
【００３５】
収納式配線器具において，コンセント受け器を１個以上に変更した内容も，本発明では，含んでいる。その時は、両脇コード通用の効果とコード固定の効果と、更に余りコード収納の効果が出てくる。
収納式配線器具において、コンセント受け器をテレビ電波受け器に変更した内容も、本発明では，含んでいる。その時は、電気接続の効果と電波接続の効果と、更に収納の効果が出てくる。                        
【００３６】
なお、本発明には、表現こそ完全には一致しないが、実質的に次の各構成を発
明の内容として、含むものである。
Ａ．収納式配線器具においてコンセントをプラグと接続とすること。
Ｂ．収納式配線器具においてコンセントを収納とすること。
Ｃ．収納式配線器具においてコンセントを化粧板で隠すこと。
Ｄ．収納式配線器具においてコンセントコードを収納とすること。
【産業上の利用可能性】
【００３７】
本発明は、換気扇接続、エアコン接続、掃除機接続、テレビ接続、電気ポット接続、携帯電話充電器接続、観賞用水槽のポンプ接続、洗濯機接続、乾燥機接続、電気髭剃り充電器接続、電気歯ブラシ充電器接続、電気冷蔵庫接続、電子レンジ接続、冷暖房接続、パソコン接続、家庭用電話接続、コピー機接続、タイムレコーダ接続、アイロン接続、家庭用ドライヤー、電気エンピッ削りに用いられ、特に日帰り温泉施設のドライヤー接続、盗難防止等に好ましく用いられる。
【符号の説明】
【００３８】
１は、化粧板右コード通用口正面図を示し、
２は、化粧板右コード通用口右側面図を示し、
３は、簡易取り外し要爪を示し、
４は、取り外し可能化粧板の裏面を示し、
５は、化粧板簡易取り外用受け器を示し、
６は、受け器右側面図を示し、
７は、収納式配線器具正面図を示し、
８は、収納式配線器具右側面図を示し、
９は、コード固定器正面図を示し、
１０は、コード固定器右側面図を示し、
１１は、コンセントプラグ正面図を示し、
１２は、コンセントプラグ右側面図を示し、
１３は、電話接続ユニット正面図を示し、
１４は、電話接続ユニット右側面図を示し、
１５は、テレビ電波接続ユニット正面図を示し、
１６は、テレビ電波接続ユニット右側面図を示し、
１７は、引き出し式コンセントを示し、
１８は、換気扇スイッチを示し、
１９は、固定用ネジ穴を示し、
２０は、コード固定器ネジ穴を示し、
２１は、余りコード収納を示し、
２２は、コード通用口を示し、
２３は、コード固定器止めネジを示し、
２４は、収納式配線器具止めネジを示し、
２５は、化粧板止めネジを示す、
をそれぞれ示す。                      
【図１】
2011160563.tif 000003
【図２】
2011160563.tif 000004
【図３】
2011160563.tif 000005
【図４】
2011160563.tif 000006
【図５】
2011160563.tif 000007
【図６】
2011160563.tif 000008
【図７】
2011160563.tif 000009
【図８】
2011160563.tif 000010
【図９】
2011160563.tif 000011
【図１０】
2011160563.tif 000012
【図１１】
2011160563.tif 000013
【図１２】
2011160563.tif 000014